(57)【要約】      （修正有）【課題】シンプルで組み立てやすく、開封時、中仕切りによって医薬品等の収容物が安全に防護される中仕切り付き包装箱を提供する。【解決手段】組み立て状態で、第一の糊付け板が第一の側面板２０の端部に糊付けされて筒体１２が形成される。第二の糊付け板が第三の側面板の内面に糊付けされ、仕切り板３０が第二の側面板２２に対向する位置に支持され、蓋側端部３０ａが開封部８６の内側に配置される。仕切り板３０と第四の側面板２６との間の収容空間９６に収容物が入れられ、第一及び第二の蓋片５４、７２が重なって互いに糊付けされ、筒体１２の一端部を閉鎖する蓋部が形成される。開封用破断線８４を破断させて開封する操作が行われる時、仕切り板３０の蓋側端部３０ａが、収容物に、第二の側面板２２から切り離された開封部が接触しないように阻止することによって、収容物が防護される。【選択図】図１
0003224238.tif 000002
【実用新案登録請求の範囲】
【請求項１】
四角形の筒体の両端部が蓋部及び底部で各々閉鎖される包装箱であって、
一枚の箱体形成片を組み立てることによって形成され、前記箱体形成片は、順に一列に連接された第一、第二、第三及び第四の側面板、第一の糊付け板、仕切り板及び第二の糊付け板と、前記第二の側面板の蓋側の端辺に延設された第一の蓋片と、前記第四の側面板の蓋側の端辺に延設された第二の蓋片とを備え、
前記第二の側面板の内側の、蓋側の端部には、蓋側の端辺が前記第一の蓋片に連続する開封部と、開封時に前記開封部及び前記第一の蓋片を前記第二の側面板から切り離すための開封用破断線とが設けられ、
開封前の組み立て状態で、前記第一の糊付け板が前記第一の側面板の端部に糊付けされて、４つの前記側面板で成る前記筒体が形成され、前記第二の糊付け板が前記第三の側面板の内面に糊付けされて、前記仕切り板が前記第二の側面板に対向する位置に支持され、前記仕切り板の蓋側端部が前記第二の側面板の前記開封部の内側に配置され、前記仕切り板と前記第四の側面板との間の収容空間に収容物が入れられ、前記第一及び第二の蓋片が重なって互いに糊付けされて、前記筒体の一端部を閉鎖する前記蓋部が形成され、
前記開封用破断線を破断させて開封する操作が行われる時、前記仕切り板の前記蓋側端部が、前記第二の側面板から切り離された前記開封部が前記収容物に接触するのを阻止することによって、前記収容物が防護されることを特徴とする中仕切り付き包装箱。
【請求項２】
前記箱体形成片は、前記第一及び第三の側面板の蓋側の端辺に各々延設されたサイドフラップを備え、
開封前の組み立て状態で、前記仕切り板の前記蓋側端部は、前記第二の側面板の方向及び前記第四の側面板の方向に傾倒可能に支持され、
開封後に再封された状態で、前記開封部が、前記蓋側端部及び前記サイドフラップの隙間から内側に入り、前記開封部の表面及び裏面が前記蓋側端部の端縁及び前記サイドフラップの端縁で係止されることによって、前記第一及び第二の蓋片が位置決めされる請求項１記載の中仕切り付き包装箱。
【請求項３】
前記仕切り板は、前記蓋側端部が第一折罫線で他の部分と区切られている請求項２記載の再封機能付き包装箱。
【請求項４】
前記蓋側端部は、前記第二の側面板と異なる色に彩色され、
開封後に再封された状態で、前記蓋側端部は、前記第二の側面板の、開封前に前記開封部が在った部分の開口を通じて視認可能に配置される請求項２又は３記載の再封機能付き包装箱。
【請求項５】
前記第一の糊付け板、前記仕切り板及び前記第二の糊付け板の中の少なくも１つは、底側の端辺に、第二折罫線を介して緩衝片が延設され、
開封前の組み立て状態で、前記第二折罫線が屈曲し、前記緩衝片の先端縁が前記底部の内面に当接することによって、前記緩衝片が前記筒体と前記底部とが交差する角部に斜めに配置され、前記収容物の下端部が前記緩衝片の上面に当接し、前記収容物が緩衝的に支持される請求項１乃至４いずれか記載の中仕切り付き包装箱。
【考案の詳細な説明】
【技術分野】
【０００１】
本考案は、箱体の中に中仕切りが設けられた中仕切り付き包装箱に関する。
【背景技術】
【０００２】
従来、例えば特許文献１の図１、図２に開示されているように、箱の内部に中仕切りを設け、医薬品等を入れる収容空間と、説明書類等を入れるポケットとを形成した包装用箱があった。この包装用箱は、組み立て状態で、固定面が後面に糊付けされて、後面、上面、前面及び下面で成る筒体が形成され、接着片が前面の内面に糊付けされて、袋面が上面に対向する位置に支持される。そして、内蓋と外蓋と重なって互いに糊付けされ、筒体の一端部を閉鎖する蓋部が形成される。袋面と下面との間の広い空間は、医薬品等を入れる収容空間となり、上面と袋面との間の狭い空間は、説明書類等を入れるポケットとなる。
【０００３】
上面の内側の蓋側の端部には、蓋側の端辺が外蓋に連続する開封部と、開封時に開封部及び外蓋を上面から切り離すための開封用の破断線とが設けられている。また、袋面の蓋側端部には、コの字形の大きい切り欠きが設けられており、この切り欠きは、組み立て状態で開封部の内側に配置される。
【先行技術文献】
【特許文献】
【０００４】
【特許文献１】特開２０１４−５０５０号公報
【考案の概要】
【考案が解決しようとする課題】
【０００５】
上記のように、医薬品を包装するときは、説明書類（能書など）を同封することが義務付けられている。しかし、医薬品の主要な納入先は病院や薬局等の医療機関であり、医療機関の薬剤師等は、説明書類の内容をすでに理解しているので、確認が必要な場合を除いて説明書類は読まずに廃棄されるケースが多い。特に近年、インターネットを介して説明書類の内容を確認出来る環境も整ったことにより、説明書類の必要性が低下し、不必要な説明書類を薬剤師等が廃棄するのに手間が掛かっていることや、多量の説明書類の廃棄処理が環境負荷になっていることが問題視され、医薬品に説明書類を同封するルールを廃止することが検討されている。
【０００６】
例えば、特許文献１の包装用箱に薬用の錠剤等を封止したＰＴＰシートを収容する場合、ＰＴＰシートが収容空間に入れられると、ＰＴＰシートの一部が袋面の切り欠きから露出する。従前のように説明書類が同封される場合は、開封部を押し破って開封する時、説明書類でＰＴＰシートの露出部分を覆うことによって、ＰＴＰシートに開封部が直接接触しないように防護することができる。しかしながら、説明書類が同封されなくなることを考えると、ＰＴＰシートを防護するため、別の手段を設ける必要がある。
【０００７】
また、医療機関に納入された医薬品は、包装箱に入れたまま、種類ごとに保管棚に並べて保管される場合が多く、薬剤師等は、未開封の医薬品と開封後に再封した医薬品とを一緒に並べて保管し、開封済みの医薬品が無くなってから、次の新しい医薬品（未開封の医薬品）を開封しなければならない。したがって、医薬品用の包装箱は、未開封の箱か開封済みの箱かを一目で正確に判別できることが求められる。
【０００８】
しかし、特許文献１の包装用箱は、そもそも蓋部を再封することができないものである。また、仮に蓋部を開封前の位置にそっと戻して保管した場合、開封前の状態と比較すると、破断線が切り離されているという違いがあるものの、外観的に大きな差がなく、開封済みの箱かどうかを一目で正確に判別することは難しい。
【０００９】
この考案は、上記背景技術に鑑みて成されたものであり、シンプルで組み立てやすく、開封時、中仕切りによって医薬品等の収容物が安全に防護される中仕切り付き装箱を提供する中仕切り付き装箱を提供することを目的とする。
【課題を解決するための手段】
【００１０】
本考案は、四角形の筒体の両端部が蓋部及び底部で各々閉鎖される包装箱であって、一枚の箱体形成片を組み立てることによって形成され、前記箱体形成片は、順に一列に連接された第一、第二、第三及び第四の側面板、第一の糊付け板、仕切り板及び第二の糊付け板と、前記第二の側面板の蓋側の端辺に延設された第一の蓋片と、前記第四の側面板の蓋側の端辺に延設された第二の蓋片とを備え、前記第二の側面板の内側の、蓋側の端部には、蓋側の端辺が前記第一の蓋片に連続する開封部と、開封時に前記開封部及び前記第一の蓋片を前記第二の側面板から切り離すための開封用破断線とが設けられ、
開封前の組み立て状態で、前記第一の糊付け板が前記第一の側面板の端部に糊付けされて、４つの前記側面板で成る前記筒体が形成され、前記第二の糊付け板が前記第三の側面板の内面に糊付けされて、前記仕切り板が前記第二の側面板に対向する位置に支持され、前記仕切り板の蓋側端部が前記第二の側面板の前記開封部の内側に配置され、前記仕切り板と前記第四の側面板との間の収容空間に収容物が入れられ、前記第一及び第二の蓋片が重なって互いに糊付けされて、前記筒体の一端部を閉鎖する前記蓋部が形成され、
前記開封用破断線を破断させて開封する操作が行われる時、前記仕切り板の前記蓋側端部が、前記第二の側面板から切り離された前記開封部が前記収容物に接触するのを阻止することによって、前記収容物が防護される中仕切り付き包装箱である。
【００１１】
前記箱体形成片は、前記第一及び第三の側面板の蓋側の端辺に各々延設されたサイドフラップを備え、開封前の組み立て状態で、前記仕切り板の前記蓋側端部は、前記第二の側面板の方向及び前記第四の側面板の方向に傾倒可能に支持され、開封後に再封された状態で、前記開封部が、前記蓋側端部及び前記サイドフラップの隙間から内側に入り、前記開封部の表面及び裏面が前記蓋側端部の端縁及び前記サイドフラップの端縁で係止されることによって、前記第一及び第二の蓋片が位置決めされる。
【００１２】
また、前記仕切り板は、前記蓋側端部が第一折罫線で他の部分と区切られていることが好ましい。また、前記蓋側端部は、前記第二の側面板と異なる色に彩色され、開封後に再封された状態で、前記蓋側端部は、前記第二の側面板の、開封前に前記開封部が在った部分の開口を通じて視認可能に配置される構成にすることが好ましい。
【００１３】
さらに、前記第一の糊付け板、前記仕切り板及び前記第二の糊付け板の中の少なくも１つは、底側の端辺に、第二折罫線を介して緩衝片が延設され、開封前の組み立て状態で、前記第二折罫線が屈曲し、前記緩衝片の先端縁が前記底部の内面に当接することによって、前記緩衝片が前記筒体と前記底部とが交差する角部に斜めに配置され、前記収容物の下端部が前記緩衝片の上面に当接し、前記収容物が緩衝的に支持される構成にすることが好ましい。
【考案の効果】
【００１４】
この考案の中仕切り付き包装箱は、シンプルな構造で組み立てやすく、しかも、開封部を押し破る等の開封操作が行われた時、仕切り板の蓋側端部が、開封部が収容物（医薬品等が入ったＰＴＰシート等）に直接接触するのを阻止することによって、収容物が防護される。したがって、説明書類が同封されない場合でも安全である。
【００１５】
また、筒体の蓋側の端部にサイドフラップを設け、開封後の開封部を蓋側端部及びサイドフラップの隙間から内側に入り、第一及び第二の蓋片が位置決めされる、という独特な再封構造を適用することによって、従来の包装箱の構成を大きく変更することなく、再封機能を付与することができる。
【図面の簡単な説明】
【００１６】
【図１】本考案の中仕切り付き包装箱の一実施形態の、開封前の組み立て状態を示す斜視図（ａ）、第一の側面板の側から見た縦断面図（ｂ）である。
【図２】この実施形態の中仕切り付き包装箱を展開した箱体形成片を裏面側から見た平面図である。
【図３】この実施形態の中仕切り付き包装箱の組み立て工程を順に示す平面図（ａ）、（ｂ）、（ｃ）である。
【図４】この実施形態の中仕切り付き包装箱を開封した状態を示す斜視図（ａ）、第一の側面板の側から見た縦断面図（ｂ）である。
【図５】この実施形態の中仕切り付き包装箱を再封した状態を示す斜視図（ａ）、第一の側面板の側から見た縦断面図（ｂ）である。
【考案を実施するための形態】
【００１７】
以下、本考案の中仕切り付き包装箱の一実施形態について、図面に基づいて説明する。この実施形態の中仕切り付き包装箱１０は、錠剤等を封止したＰＴＰシート等の収容物Ｓを包装する用途に使用される包装箱で、図１（ａ）に示すように、四角形の筒体１２の両端がシールエンド型の蓋部１４及び底部１６で閉鎖される。この中仕切り付き包装箱１０は、厚紙等で成る一枚の箱体形成片１８を組み立てることによって形成される。
【００１８】
図２は、箱体形成片１８を裏面側から見た平面図であり、以下、箱体形成片１８の構成について、紙面の上側を蓋側と称し、紙面の下側を蓋側と称して説明する。
【００１９】
箱体形成片１８は、順に一列に連接された第、第二、第三及び第四の側面板２０，２２，２４，２６を有している。これらは、連接している幅方向の長さが同じであり、連接方向の長さは、第一及び第三の側面板２０，２４が短くて互いにほぼ等しく、第二及び第四の側面板２２，２６が長くて互いにほぼ等しい。さらに、第四の側面板２６の連接方向の端辺には、第一の糊付け板２８が連接されている。第一の糊付け板２８の連接方向の長さは、第一及び第三の側面板２０，２４の連接方向長さよりも少し短い。
【００２０】
第一の糊付け板２８の連接方向の端辺には、仕切り板３０が連接されている。仕切り板３０の連接方向の長さは、第二及び第四の側面板２２，２６の連接方向長さとほぼ同じであり、幅方向の長さは、第二及び第四の側面板２２，２６の幅方向の長さよりも少し短い。さらに、仕切り板３０の連接方向の端辺には、第二の糊付け板３２が連接されている。第二の糊付け板３２の連接方向の長さは、第一の糊付け板２８の連接方向長さとほぼ同じである。
【００２１】
上記の第一、第二、第三及び第四の側面板２０，２２，２４，２６、第一の糊付け板２８、仕切り板３０及び第二の糊付け板３２は、各々折罫線３４，３６，３８，４０，４２，４４で区切られている。
【００２２】
第一の側面板２０の蓋側の端辺には台形状のサイドフラップ４６が延設され、折罫線４８で第一の側面板２０と区切られている。サイドフラップ４６は、延出長さが第二及び第四の側面板２２，２６の連接方向長さの約2/5で、後述する第一の蓋片５４に近い先端角部が、鈍角のＶ字形に大きく切り欠かれている。また、第一の側面板２０の底側の端辺には、台形状のサイドフラップ５０が延設され、折罫線５２で第一の側面板２０と区切られている。サイドフラップ５０の内側には、折罫線３４の底側の一端から斜めに延びる補助折罫線５０ａが設けられている。
【００２３】
第二の側面板２２の蓋側の端辺には、略長方形の第一の蓋片５４が延設され、折罫線５６で第二の側面板２２と区切られている。第一の蓋片５４の延出長さは、第一及び第三の側面板２０，２４の連接方向長さと同じか僅かに短い。そして、折罫線５６とほぼ重なる位置に、折罫線５６の両端から内向きに短く延びる一対の切り込み５８ａ，５８ｂが設けられている。また、第二の側面板２２の底側の端辺には、略長方形の第一の底片６０が延設され、折罫線６２で第二の側面板２２と区切られている。第一の底片６０の延出長さは、第一及び第三の側面板２０，２４の連接方向長さと同じか僅かに短い。
【００２４】
第三の側面板２４の蓋側の端辺には台形状のサイドフラップ６４が延設され、折罫線６６で第三の側面板２４と区切られている。サイドフラップ６４は、延出長さが第二及び第四の側面板２２，２６の連接方向長さの約2/5で、第一の蓋片５４に近い先端角部が鈍角のＶ字形に大きく切り欠かれている。また、第三の側面板２４の底側の端辺には、台形状のサイドフラップ６８が延設され、折罫線７０で第三の側面板２４と区切られている。サイドフラップ６８の内側には、折罫線３８の底側の一端から斜めに延びる補助折罫線６８ａが設けられている。
【００２５】
第四の側面板２６の蓋側の端辺には、略長方形の第二の蓋片７２が延設され、折罫線７４で第四の側面板２６と区切られている。第二の蓋片７２の延出長さは、第一の蓋片５４の延出長さよりも少し短い。また、第四の側面板２６の底側の端辺には、略長方形の第二の底片７６が延設され、解体用破断線７８で第四の側面板２６と区切られている。第二の底片７６の延出長さは、第一の底片６０の延出長さよりも少し短い。
【００２６】
仕切り板３０の底側の端辺には、先端が丸く面取りされた略三角形の緩衝片８０が延設され、第二折罫線８２で仕切り板３０と区切られている。
【００２７】
その他、第二の側面板２２の内側の、蓋側の端部には、第二の側面板２２の中央部に向かって膨出した略Ｖ字状（又は等脚台形状）にレイアウトされた開封用破断線８４が設けられ、開封用破断線８４で囲まれた内側が開封部８６になっている。開封部８６は、蓋側の端辺が折罫線５６を介して第一の蓋片５４に連続しており、開封時、開封用破断線８４を破断させる操作が行われると、開封部８６及び第一の蓋片５４が第二の側面板２２から切り離される。
【００２８】
さらに、仕切り板３０の内側には、略四角形の領域である蓋側端部３０ａが設けられている。蓋側端部３０ａは、折罫線４２，４４の蓋側の一端を延長した位置に設けられた細長いスリット８８ａ，８８ｂによって第一及び第二の糊付け板２８，３２から切り離され、基端部が、第一折罫線９０を介して仕切り板３０の他の部分に連続している。また、蓋側端部３０ａの蓋側の端辺の中央部に、円弧状の切り欠き３０ｂが設けられている。
【００２９】
次に、中仕切り付き包装箱１０の組み立て方法の一例を説明する。ここでは、図２に示す箱体形成片１８の各折罫線及び破断線の折り曲げ方について、表面が凸になる折り方を正折り、裏面が凸になる折り方を逆折りと称する。
【００３０】
まず、図３（ａ）に示すように、折罫線４２を正折りして仕切り板３０及び第二の糊付け板３２を第四の側面板２６及び第一の糊付け板２８に重ね、第二の糊付け板３２の表面に糊９２を塗布する。そして、図３（ｂ）に示すように、折罫線３８を正折りして仕切り板３０及び第二の糊付け板３２を第二及び第三の側面板２２，２４に重ね、第二の糊付け板３２の表面を第三の側面板２４に糊付けする。
【００３１】
そして、第一の糊付け板２８の表面に糊９４を塗布した後、図３（ｃ）に示すように、折罫線３４を正折りして第一の側面板２０を第一の糊付け板２８に重ね、第一の側面板２０の裏面を第一の糊付け板２８に糊付けする。箱体形成片１８はこの折り畳み状態で中仕切り付き包装箱１０の製造工場等から出荷される。
【００３２】
次に、収容物Ｓの包装を行う工場等において、箱体形成片１８の折罫線３４，３６，３８，４０を各々９０度に正折りし、側面板２０，２２，２４，２６で四角形の筒体１２を形成する。この操作を行うと、折罫線４２，４４も９０度に正折りされ、仕切り板３０が自動的に移動する。
【００３３】
次に、底部１６を形成するため、折罫線５２，７０でサイドフラップ５０，６８を各々９０度に正折りし、解体用破断線７８で第二の底片７６を９０度に正折りし、第二の底片７６をサイドフラップ５０，６８に重ねる。そして、第二の底片７６の表面に糊を塗布した後、折罫線６２を９０度に正折りして第一の底片６０を第二の底片７６に重ね、第一の底片６０の裏面を第二の底片７６に糊付けする。これで、筒体１２の一端部が底部１６で閉鎖される。底部１６を形成する操作を行うと、第二折罫線８２も内向きに屈曲し、緩衝片８０が自動的に移動する。
【００３４】
この状態で、仕切り板３０は、第二の側面板２２に対向する位置に支持され、仕切り板３０と第四の側面板２６との間に収容空間９６が形成される。また、仕切り板３０の蓋側端部３０ａは、開封部８６の内側に対向するように配置されて、第二の側面板２２の方向及び第四の側面板２６の方向に傾倒可能に支持される。また、緩衝片８０の先端縁が底部１６の内面に当接し、緩衝片８０が筒体１２と底部１６とが交差する角部に斜めに配置される。
【００３５】
筒体１２の開放している端部（蓋側の端部）から収容空間９６の中に収容物Ｓを入れると、次は、蓋部１４を形成する操作を行う。まず、折罫線４８，６６でサイドフラップ４６，６４を各々９０度に正折りし、折罫線７４を９０度に正折りして第二の蓋片７２を正折りし、第二の蓋片７２をサイドフラップ４６，６４に重ねる。そして、第二の蓋片７２の表面に糊を塗布した後、折罫線５６を９０度に正折りして第一の蓋片５４を第二の蓋片７２に重ね、第一の蓋片５６の裏面を第二の蓋片７２に糊付けする。これで、筒体１２の他端部が蓋部１４で閉鎖され、図１（ａ）、（ｂ）に示す組み立て状態になる。この組み立て状態で、収容物Ｓは、下端部が緩衝片８０の上面に当接し、緩衝的に支持される。
【００３６】
中仕切り付き包装箱１０を開封する時は、例えば開封部８６を指で押し込んで開封用破断線８４を破断させる。このとき、開封部８６の内側に仕切り板３０の蓋側端部３０ａが配置されているが、蓋側端部３０ａは、開封部３０に押されて第四の側面板２６の方向に傾倒するので、開封部８６を押し込む操作の障害にはならない。蓋側端部３０ａは、開封部８６に押されて第四の側面板２６の方向に傾倒しつつ、開封部８６が収容物Ｓ（ＰＴＰシート）に直接接触するのを阻止し、収容物Ｓが防護される。
【００３７】
開封用破断線８４を破断させると、第一の蓋片５４及び開封部８６が第二の側面板２２から切り離され、第一及び第二の蓋片５４，７２が開閉可能になる。したがって、第一及び第二の蓋片５４，７２を大きく引き上げた後、サイドフラップ４６，６４を引き上げると、図４（ａ）、（ｂ）に示すように、蓋部１４が広く開放し、中の収容物Ｓを取り出すことができる。第一の蓋片５４及び開封部８６は、第二の蓋片７２に接続されているのでゴミにはならない。
【００３８】
なお、開封用破断線８４を破断させる時は、開封部８６を内向きに押し込むのではなく、開封部８６の表面に指を当てて蓋部１４の方向に移動させる操作（スライド開封操作）を行ってもよい。開封用破断線８４は、第一の蓋片５４に連続する基端部が幅広で、先端部が幅狭な略Ｖ字状（又は等脚台形状）にレイアウトされているので、スライド開封操作を行った場合でも、容易に破断させることができる。スライド開封操作を行って開封すれば、収容物Ｓをより安全に保護することができ、しかも、開封用破断線８４を破断させる動作と第一及び第二の蓋片５４，７２を引き上げる動作とが連続動作になるので、１アクションで簡単に開封することができる。
【００３９】
中仕切り付き包装箱１０を開封した後、再封する時は、まず、折罫線４８，６６を９０度に正折りしてサイドフラップ４６，６４を倒す。次に、折罫線７４を正折りして第一及び第二の蓋片５４，７２を倒しながら、開封部８６の先端部を、サイドフラップ４６，６４の先端角部の切り欠きと蓋側端部３０ａの内面とで囲まれ開口に案内し、蓋側端部３０ａを第二の側面板２２の方向に傾倒させながら深く差し込み、第一及び第二の蓋片５４，７２をサイドフラップ４６，６４に重ねる。これで、図５（ａ），（ｂ）に示すように、蓋部１４が再封された状態になる。
【００４０】
この状態で、開封部８６の表面及び裏面が蓋側端部３０ａの端縁及びサイドフラップ４６，６４の端縁で係止されるとともに、サイドフラップ４６，６４の端縁が開封部８６の切り込み５８ａ，５８ｂの中に入って係合し、第一及び第二の蓋片５４，７２が位置決めされる。そして、第二の側面板２２の、開封前に開封部８６が在った部分が開放し、その内側の少し離れた位置に、蓋側部分３０ａが視認可能に配置される。したがって、再封された状態と開封前の状態の外観を比較すると、特に第二の側面板２２の側から見た時の外観が大きく異なるので、再封された箱か開封前の箱かを容易に判別することができる。
【００４１】
再封された状態から再び第一及び第二の蓋片５４，７２を開くときは、第一の蓋片５４と開封部６８との境界部に指を掛けて、第一及び第二の蓋片５４，７２を引き上げる。指を掛ける場所は、境界部のほぼ中央の位置、すなわち蓋側端部３０ａの切り欠き３０ｂから露出している部分であることが好ましい。この位置に指を掛けて引き上げることによって、サイドフラップ４６と切り込み５８ａとの係合、及びサイドフラップ６４と切り込み５８ｂとの係合を、バランスよく解除することができる。
【００４２】
中仕切り付き包装箱１０を開封した後、廃棄する時は、図４（ａ）に示す筒体１２のＰ１部及びＰ２部を互いに近づけるように押圧する操作を行う。この操作を行うと、解体用破断線７８が破断して底部１６が解体され、サイドフラップ５０，６８が補助折罫線５０ａ，６８ａで各々折れ曲がる。したがって、筒体１２及び底部１６をスムーズに折り畳むことができ、中仕切り付き包装箱１０をコンパクトに廃棄することができる。
【００４３】
以上説明したように、中仕切り付き包装箱１０は、開封部８６を押し破る等の開封操作が行われた時、仕切り板３０の蓋側端部３０ａが、開封部８６が収容物Ｓ（ＰＴＰシート）に直接接触するのを阻止することによって、収容物Ｓが防護される。さらに、底部１６には、収容物Ｓを緩衝的に支持する緩衝片８０が設けられている。したがって、中仕切り付き包装箱１０を使用することによって、収容物Ｓを安全に取り扱うことができる。
【００４４】
また、筒体１２の蓋側の端部にサイドフラップ４６，６４を設け、開封後の開封部８６を蓋側端部３０ａとサイドフラップ４６，６４とも隙間から内側に入り、第一及び第二の蓋片５２，７２が位置決めされる、という独特な再封構造を有しており、従来の包装箱の構成を大きく変更することなく、再封機能が付与されている。
【００４５】
なお、本考案の中仕切り付き包装箱は、上記実施形態に限定されるものではない。例えば、上記の仕切り板３０の蓋側端部３０ａは、第二の側面板２２の方向及び第四の側面板２６の方向に傾倒可能であり、傾倒する動作をよりスムーズにするため第一折罫線９０を設けているが、例えば、箱体形成片が撓みやすい素材であれば、第一折罫線９０は省略することができる。また、蓋側端部３０ａが傾倒しなくても支障なく開封操作が行える場合や、再封機能が不要な場合は、蓋側端部３０ａが傾倒できない構造に変更してもよい（例えば、スリット８８ａ，８８ｂを省略する）。
【００４６】
また、開封用破断線は、開封部及び第一の蓋片５４を第二の側面板２２から切離可能にレイアウトされていればよく、上記の開封用破断線８４とは異なる形状にしてもよい。なお、上記の開封用破断線８４及び開封部８６の形状は、開封のしやすさと再封のしやすさの両方を考慮してあるので、形状を変更する時は、これらの点に留意するとよい。
【００４７】
上記実施形態では、緩衝片８０が仕切り板３０の端辺に設けてあるが、第一又は第二の糊付け板２８，３２の端辺に設けてもよいし、これらの中の複数の板の端辺に設けてもよい。また、緩衝片８０は、必要なければ省略することも可能である。
【００４８】
再封された状態で、既に開封済みであることをより明確に示したい場合は、仕切り板３０の蓋側端部３０ａの表面側を、第二の側面板２２とは異なる色に彩色することが好ましい。あるいは、蓋側端部３０ａの表面側に「開封済み」等の文字を表示してもよい。
【００４９】
底部は、上記底部１６のようなシールエンド型の底部に限定されず、自由に変更することができる。例えば、いわゆるワンタッチ型の底部にしてもよいし、蓋部と同じ構成の底部にしてもよい。
【００５０】
その他、上記実施形態では、説明書類が同封されないケースを説明したが、第二の側面板と仕切り板との間に説明書類が同封されても良いことは言うまでもない。
【符号の説明】
【００５１】
１０  中仕切り付き包装箱
１２  筒体
１４  蓋部
１６  底部
１８  箱体形成片
２０  第一の側面板
２２  第二の側面板
２４  第三の側面板
２６  第四の側面板
２８  第一の糊付け板
３０  仕切り板
３０ａ  蓋側端部
３２  第二の糊付け板
４６，６４  サイドフラップ
５４  第一の蓋片
７２  第二の蓋片
８０  緩衝片
８２  第二の折罫線
８４  開封用破断線
８６  開封部
９０  第一折罫線
９６  収容空間
Ｓ  収容物
【図１】
0003224238.tif 000003
【図２】
0003224238.tif 000004
【図３】
0003224238.tif 000005
【図４】
0003224238.tif 000006
【図５】
0003224238.tif 000007